(57)【要約】      （修正有）【課題】破損を防ぎ信頼性を高め得るようにする。【解決手段】現金自動取引装置１は、所定の空間を内部に具える上部筐体２０と、上部筐体２０内に収納された収納状態から前方へ引き出されることにより引出状態となる上部ユニット２４と、上部ユニット２４の前面において開放方向へ回動することにより上部ユニット２４内部を外部に開放する開放状態となると共に、閉鎖方向へ回動することにより上部ユニット２４内部を外部から閉鎖する閉鎖状態となるフロントパネル１２とを備える。フロントパネル１２の開放状態のまま上部ユニット２４が上部筐体２０に向かって移動した際、上部筐体２０への上部ユニット２４の移動を規制するフロントパネル衝突防止機構が衝突を防止する。【選択図】図１０
2014191446.tif 000002
【特許請求の範囲】
【請求項１】
所定の空間を内部に具える筐体と、
上記筐体内に収納された収納状態から前方へ引き出されることにより引出状態となるユニットと、
上記ユニットの前面において開放方向へ回動することにより上記ユニット内部を外部に開放する開放状態となると共に、閉鎖方向へ回動することにより上記ユニット内部を外部から閉鎖する閉鎖状態となるサブユニットと、
上記サブユニットの開放状態のまま上記ユニットが上記筐体に向かって移動した際、上記筐体への上記ユニットの移動を規制する押込規制部と
を有する引出装置。
【請求項２】
上記押込規制部は、上記サブユニットが開放状態のまま上記ユニットが上記筐体に向かって移動した際、上記サブユニットが上記筐体に接触する前に上記筐体と接触する
請求項１に記載の引出装置。
【請求項３】
上記サブユニットは、上記ユニットの前面側の下端部近傍において左右に延設されたシャフトを支点として回動する
請求項２に記載の引出装置。
【請求項４】
上記ユニットに対し上記サブユニットを開放方向へ回動させ、開放状態を支持するステイ
をさらに有し、
上記押込規制部は、上記ステイに連動して可動する
請求項３に記載の引出装置。
【請求項５】
上記押込規制部は、上記ステイが上記サブユニットの開放状態を支持している際は上記ユニットの上記筐体への移動を規制する一方、上記サブユニットの閉鎖状態においては上記ステイにより回動され、上記ユニットの上記筐体への移動の規制を解除する
請求項４に記載の引出装置。
【請求項６】
上記ユニットの収納状態において、上記ユニットに対する上記サブユニットの回動を規制し、上記ユニットの引出状態において、上記ユニットに対する上記サブユニットの回動の規制を解除する回動規制部
をさらに有する請求項３に記載の引出装置。
【請求項７】
上記回動規制部は、上記ユニットの収納状態において、上記サブユニットの上部分の後端部が上記筐体の天板の下側に入り込むことにより、上記ユニットに対する上記サブユニットの回動を規制する
請求項６に記載の引出装置。
【請求項８】
上記押込規制部は、上記ユニットにおける左右両側に設けられている
請求項３に記載の引出装置。
【請求項９】
上記押込規制部は、上記筐体と接触する際に受ける衝撃を緩和する衝撃緩和部材
をさらに有する請求項２に記載の引出装置。
【請求項１０】
所定の空間を内部に具える上部筐体と、
上記上部筐体の下方に配され紙葉状の媒体を収納する媒体カセットを内部に格納する下部筐体と、
上記上部筐体内に収納された収納状態から前方へ引き出されることにより引出状態となるユニットと、
上記ユニットに設けられ上記媒体に関する取引を受け付ける接客部と、
上記ユニットの前面において開放方向へ回動することにより上記ユニット内部を外部に開放する開放状態となると共に、閉鎖方向へ回動することにより上記ユニット内部を外部から閉鎖する閉鎖状態となるサブユニットと、
上記サブユニットの開放状態のまま上記ユニットが上記上部筐体に向かって移動した際、上記上部筐体への上記ユニットの移動を規制する押込規制部と
を有する媒体取引装置。
【発明の詳細な説明】
【技術分野】
【０００１】
本発明は、引出装置及び媒体取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関等で使用される現金自動取引装置等においては、顧客との取引内容に応じて、例えば顧客に紙幣や硬貨等の現金を入金させ、また顧客へ現金を出金するようになされている。
【０００３】
現金自動取引装置としては、例えば顧客との間で紙幣の授受を行う紙幣入出金口と、投入された紙幣の金種及び真偽を鑑別する鑑別部と、投入された紙幣を一時的に保留する一時保留部３１と、金種ごとに紙幣を格納する金種カセットとを有するものがある（例えば、特許文献１参照）。
【０００４】
そのような現金自動取引装置として、図２１に示すように、金融機関の行員が操作する現金自動取引装置がある。この現金自動取引装置５０１は、金融機関に設けられた接客カウンターの下側に、上部筐体２０及び下部筐体２２からなる筐体１０の後部分が潜り込むように設置される。
【０００５】
このため現金自動取引装置５０１は、上部ユニット５２４内部の保守作業を行う際、図２１に示すように行員が上部筐体２０から上部ユニット５２４を前方へ引き出し、支点シャフト３４を中心として上部引出２５に対しフロントパネル１２を手前に回動させて当該上部ユニット５２４内部を開放させる。
【０００６】
フロントパネル１２の内部には、当該フロントパネル１２を支える板金であるフロントパネルフレーム５５２が取り付けられ、当該フロントパネルフレーム５５２の前端下端部及び上部引出２５の前端部を支点シャフト３４が挿通している。
【０００７】
フロントパネルフレーム５５２にはステイ５６０が回動可能に取り付けられ、当該ステイ５６０は、ステイショルダスタッド６８を介し、上部引出２５に設けられたステイブラケット６４のステイブラケット溝部６６を前後方向に沿って摺動する。
【０００８】
フロントパネル１２が開放された際、ステイショルダスタッド６８がステイブラケット溝部６６の前端に突き当たることにより、当該フロントパネル１２の時計回りの回動が規制され、その位置が保持される。
【０００９】
このような現金自動取引装置においては、フロントパネルフレーム５５２における支点シャフト３４近傍の部分の強度を保つため、支点シャフト３４は、フロントパネルフレーム５５２の前端下端部の端面の極近傍には挿通されていない。すなわち、フロントパネルフレーム５５２における支点シャフト３４の下側部分には、側面視において所定の面積を有する突起部５４が形成されている。
【００１０】
このためフロントパネル１２が開放された際、図２１に示すように突起部５４は、紙幣カセット等が収納された強固な下部筐体２２の前方の上端面よりも下方まで突出する。
【００１１】
また現金自動取引装置５０１においては、図２１に示した状態からフロントパネル１２を閉鎖させ上部ユニット２４を上部筐体２０の所定位置に押し込んだとき、フロントパネルフレーム５５２が上部筐体２０の天板の下側に入り込んでいない。
【先行技術文献】
【特許文献】
【００１２】
【特許文献１】特開２０１１−２９２１公報
【発明の概要】
【発明が解決しようとする課題】
【００１３】
このようにフロントパネル１２を開放させた状態のまま行員が上部ユニット５２４を上部筐体２０に押し込むと、図２１に示すようにフロントパネル１２の突起部５４が下部筐体２２に接触し、当該フロントパネル１２が破損するおそれがあった。
【００１４】
本発明は以上の点を考慮してなされたもので、破損を防ぎ信頼性を高め得る引出装置及び媒体取引装置を提案しようとするものである。
【課題を解決するための手段】
【００１５】
かかる課題を解決するため本発明の引出装置においては、所定の空間を内部に具える筐体と、筐体内に収納された収納状態から前方へ引き出されることにより引出状態となるユニットと、ユニットの前面において開放方向へ回動することによりユニット内部を外部に開放する開放状態となると共に、閉鎖方向へ回動することによりユニット内部を外部から閉鎖する閉鎖状態となるサブユニットと、サブユニットの開放状態のままユニットが筐体に向かって移動した際、筐体へのユニットの移動を規制する押込規制部とを設けるようにした。
【００１６】
この引出装置は、サブユニットの筐体への衝突を、押込規制部により防止できる。
【００１７】
かかる課題を解決するため本発明の媒体取引装置においては、所定の空間を内部に具える上部筐体と、上部筐体の下方に配され紙葉状の媒体を収納する媒体カセットを内部に格納する下部筐体と、上部筐体内に収納された収納状態から前方へ引き出されることにより引出状態となるユニットと、ユニットに設けられ媒体に関する取引を受け付ける接客部と、ユニットの前面において開放方向へ回動することによりユニット内部を外部に開放する開放状態となると共に、閉鎖方向へ回動することによりユニット内部を外部から閉鎖する閉鎖状態となるサブユニットと、サブユニットの開放状態のままユニットが上部筐体に向かって移動した際、上部筐体へのユニットの移動を規制する押込規制部とを設けるようにした。
【００１８】
この媒体取引装置は、サブユニットの下部筐体への衝突を、押込規制部により防止できる。
【発明の効果】
【００１９】
本発明によれば、サブユニットの筐体への衝突を、押込規制部により防止でき、かくして本発明は、破損を防ぎ信頼性を高め得る引出装置及び媒体取引装置を実現できる。
【図面の簡単な説明】
【００２０】
【図１】現金自動取引装置の構成を示す斜視図である。
【図２】第１の実施の形態による現金自動取引装置の構成（１）を示す左側面図である。
【図３】上部ユニット引出状態におけるフロントパネル閉鎖状態を示す左側面図である。
【図４】上部ユニット引出状態におけるフロントパネル開放状態（１）を示す左側面図である。
【図５】下部ユニット引出状態を示す左側面図である。
【図６】第１の実施の形態による現金自動取引装置の構成（２）を示す左側面図である。
【図７】上部ユニット引出状態におけるフロントパネル開放状態（２）を示す左側面図である。
【図８】上部ユニット引出状態におけるフロントパネル閉鎖状態（２）を示す左側面図である。
【図９】上部ユニット引出状態におけるフロントパネル開放状態（３）を示す左側面図である。
【図１０】ノックレバー衝突状態を示す左側面図である。
【図１１】上部ユニット引出状態におけるフロントパネル閉鎖状態（２）を示す左側面図である。
【図１２】上部ユニット収納状態を示す左側面図である。
【図１３】フロントパネル回動可能状態を示す左側面図である。
【図１４】フロントパネル回動可能状態におけるフロントパネルの開放動作を示す左側面図である。
【図１５】第２の実施の形態による現金自動取引装置の構成（１）を示す左側面図である。
【図１６】第２の実施の形態による現金自動取引装置の構成（２）を示す左側面図である。
【図１７】第３の実施の形態による現金自動取引装置の構成（１）を示す左側面図である。
【図１８】第３の実施の形態による現金自動取引装置の構成（２）を示す左側面図である。
【図１９】第４の実施の形態による現金自動取引装置の構成（１）を示す左側面図である。
【図２０】第４の実施の形態による現金自動取引装置の構成（２）を示す左側面図である。
【図２１】従来の現金自動取引装置の構成（１）を示す左側面図である。
【図２２】従来の現金自動取引装置の構成（２）を示す左側面図である。
【発明を実施するための形態】
【００２１】
以下、発明を実施するための形態（以下実施の形態とする）について、図面を用いて説明する。
【００２２】
［１．第１の実施の形態］
［１−１．現金自動取引装置の全体構成］
図１及び図２に示すように、現金自動取引装置１は金融機関の行員（例えば受付窓口員）が操作する行員操作型端末であり、行員の操作に基づいて紙幣の入出金処理を行うようになされている。
【００２３】
この現金自動取引装置１は、箱型の筐体１０の上側において紙幣の投入やタッチパネルによる操作等をしやすい箇所、すなわち前面の上部から上面に渡る部分が斜めに傾斜したフロントパネル１２が設けられており、当該フロントパネル１２には、接客部１３が設けられている。
【００２４】
接客部１３は、入金口１４、出金口１６（１６Ａ及び１６Ｂ）及び表示操作部１８が設けられており、利用者との間で現金を直接やり取りすると共に、取引に関する情報の通知や操作指示の受付を行うようになされている。
【００２５】
現金自動取引装置１は、金融機関に設けられた接客カウンターの下側に筐体１０の後部分が潜り込むように設置される。筐体１０は、上側に位置し箱型であり前面が開口する上部筐体２０と、下側に位置し箱型であり強固な下部筐体２２とから構成されている。
【００２６】
現金自動取引装置１は、上側には上部筐体２０に囲まれた上部ユニット２４が、下側には下部筐体２２に囲まれた下部ユニット２６がそれぞれ設けられている。
【００２７】
上部ユニット２４は、搬送路２８、鑑別部３０、一時保留部３１及び制御部３２等が配された上部引出２５と、入金口１４、出金口１６及び表示操作部１８等が配されたフロントパネル１２とから構成されている。
【００２８】
入金口１４は、行員により入金紙幣が投入されると、これを１枚ずつ分離して現金自動取引装置１内に取り込む。
【００２９】
出金口１６は、金種毎等に出金紙幣を集積して、これを行員に取り出させる。またこの出金口１６には、当該出金口１６を開閉するシャッタ（図示せず）が設けられ、紙幣の排出時に開くようになっている。
【００３０】
表示操作部１８は液晶ディスプレイ及びタッチパネルが組み合わされて構成され、メニュー画面、各種処理の結果画面等を表示する。
【００３１】
制御部３２は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行うようになされている。
【００３２】
また制御部３２は、内部にＲＡＭ（Random Access Memory）、ハードディスクドライブやフラッシュメモリ等でなる記憶部を有しており、この記憶部に種々の情報を記憶させるようになされている。
【００３３】
鑑別部３０は、その内部で紙幣を搬送しながら、光学素子や磁気検出素子等を用いて当該紙幣の金種及び真偽、並びに損傷の程度等を鑑別する。この鑑別部３０は、取り扱うことのできる正常紙幣か取り扱うことのできないリジェクト紙幣かをその鑑別結果に基づいて紙幣毎に判定する。
【００３４】
一時保留部３１は、入金口１４から取り込まれ鑑別部３０により正常紙幣と判定された紙幣を一時的に集積する。一時保留部３１に集積された紙幣は、取引成立後に一時保留部３１から繰り出されて鑑別部３０に搬送され、鑑別部３０により金種が特定された後、紙幣カセット３６に搬送され収納される。
【００３５】
上部ユニット２４は、図示しないスライドレールを介して上部筐体２０に取り付けられている。スライドレールは、前後方向に延長されたレール状の部品や複数のローラ等（図示せず）の組み合わせにより構成されており、上部筐体２０に対し上部ユニット２４を前方向又は後方向へ直線的に且つ円滑に移動させるようになされている。
【００３６】
現金自動取引装置１は、行員との間で取引処理が行われる取引動作時の場合、図２に示すように上部ユニット２４を上部筐体２０の内部の収納位置に収納することにより、当該上部ユニット２４内の各部や紙幣等を保護する。以下ではこれを上部ユニット収納状態と呼ぶ。
【００３７】
一方現金自動取引装置１は、保守作業者や金融機関の係員等により上部ユニット２４の保守作業が行われる保守作業時の場合、図３に示すように上部ユニット２４を前方向へ移動させて、当該上部ユニット２４のほぼ全体を上部筐体２０の外部に引き出した状態とする。
【００３８】
以下では、上部ユニット２４が上部筐体２０からほぼ全体が引き出されているか否かにかかわらず、当該上部ユニット２４が収納位置から前側に引き出された状態を上部ユニット引出状態と呼ぶ。
【００３９】
フロントパネル１２は、上部ユニット２４に設けられた支点シャフト３４を中心に回動可能に構成され、上部ユニット２４内部を外部に対し露出又は遮蔽させる。このフロントパネル１２は、取引動作時には上部筐体２０の開口を覆うように閉塞されることにより、現金自動取引装置１に収納している紙幣を保護する。以下ではこれをフロントパネル閉鎖状態と呼ぶ。
【００４０】
一方フロントパネル１２は、上部ユニット２４の保守作業時には図４に示すように上部ユニット引出状態において開放されることにより、内部の各部に対する作業を容易に行わせ得るようになされている。以下ではこれをフロントパネル開放状態と呼ぶ。
【００４１】
図２に示したように、下部ユニット２６は箱型であり、複数の紙幣カセット３６及びリジェクトカセット３８等が内部に組み込まれている。
【００４２】
紙幣カセット３６は、それぞれ紙幣の金種別に前後方向に並んで配置され、紙幣を金種毎に収納可能な縦長の内部空間を有し、搬送路２８を介して搬送されてくる紙幣を内部に上下方向に重ねて集積する。
【００４３】
また紙幣カセット３６は、紙幣を収納するだけでなく、内部に集積されている紙幣を１枚ずつ搬送路２８に繰り出すことができるようにもなされている。
【００４４】
リジェクトカセット３８は、行員から入金された紙幣や、紙幣カセット３６から排出された紙幣が鑑別部３０によってリジェクト紙幣と判定された場合に当該紙幣を集積する。
【００４５】
下部ユニット２６は、図示しないスライドレールを介して下部筐体２２に取り付けられている。スライドレールは、前後方向に延長されたレール状の部品や複数のローラ等（図示せず）の組み合わせにより構成されており、下部筐体２２に対し下部ユニット２６を前方向又は後方向へ直線的に且つ円滑に移動させるようになされている。
【００４６】
下部筐体２２は、前面側の側面に開閉可能な前面扉が設けられている。下部筐体２２は、取引動作時には前面扉が閉塞されることにより、現金自動取引装置１に収納している紙幣を保護する。一方下部筐体２２は、下部ユニット２６の保守作業時には必要に応じて前面扉が開放されることにより、内部の各部に対する作業を容易に行わせ得るようになされている。
【００４７】
現金自動取引装置１は、取引動作時には図２に示したように下部ユニット２６を下部筐体２２の内部の収納位置に収納することにより、当該下部ユニット２６内の各部や紙幣等を保護する。以下ではこれを下部ユニット収納状態と呼ぶ。
【００４８】
一方現金自動取引装置１は、下部ユニット２６の保守作業時や紙幣の充填作業が行われる場合、図５に示すように下部ユニット２６を前方向へ移動させて、当該下部ユニット２６のほぼ全体を下部筐体２２の外部に引き出した状態とする。
【００４９】
以下では、下部ユニット２６が下部筐体２２からほぼ全体が引き出されているか否かにかかわらず、当該下部ユニット２６が収納位置から前側に引き出された状態を下部ユニット引出状態と呼ぶ。
【００５０】
かかる構成において現金自動取引装置１は、鑑別部３０による紙幣の鑑別結果等をもとに制御部３２が各部を制御して、紙幣の入金処理及び出金処理を行う。
【００５１】
すなわち現金自動取引装置１は、入金取引時、行員により表示操作部１８を介して入金取引が選択され、さらに入金口１４に紙幣が投入されると、投入された紙幣を１枚ずつ鑑別部３０に搬送する。
【００５２】
ここで現金自動取引装置１は、鑑別部３０により正常紙幣と判定された紙幣については一時保留部３１に搬送して一時的に収納する。一方で現金自動取引装置１は、入金に適さない入金リジェクト紙幣と判定された紙幣については出金口１６へ戻して、シャッタを開くことで行員に返却する。
【００５３】
その後行員により入金金額が確定されると、現金自動取引装置１は一時保留部３１に収納している紙幣を鑑別部３０に搬送して金種を鑑別し、その金種に応じて、各紙幣カセット３６へ搬送して保管する。
【００５４】
一方出金取引時、現金自動取引装置１は、行員により表示操作部１８を介して出金取引が選択され出金金額が入力されると、要求金額に応じて必要な金種毎の紙幣枚数を認識し、この金種毎の紙幣枚数に応じて各紙幣カセット３６から紙幣を繰り出して、鑑別部３０に搬送する。
【００５５】
ここで現金自動取引装置１は、鑑別部３０により正常紙幣と判定された紙幣については出金口１６に搬送する一方で、出金に適さない出金リジェクト紙幣と判定された紙幣については一時保留部３１に搬送して一時的に収納する。
【００５６】
そして要求金額分の紙幣が出金口１６へ集積されると、現金自動取引装置１は、シャッタを開ける。これにより出金口１６内に集積されている紙幣の受け取りが可能な状態となり、行員がこの紙幣を受け取る。
【００５７】
その後現金自動取引装置１は、一時保留部３１に収納している出金リジェクト紙幣をリジェクトカセット３８へと搬送して保管する。
【００５８】
このように現金自動取引装置１は、紙幣の入金処理及び出金処理を行うようになされている。
【００５９】
［１−２．フロントパネル回動機構の構成］
図６に示すように、フロントパネル１２は、フロントパネルフレーム５２、ステイ６０、ステイブラケット６４及び支点シャフト３４等により構成されたフロントパネル回動機構５０により上部引出２５に対し回動可能に構成されている。
【００６０】
フロントパネル１２の内側には、当該フロントパネル１２を支える板金であるフロントパネルフレーム５２が取り付けられている。なお、図６においてはフロントパネル１２を２点破線で示すと共に、上部筐体２０の左側板を透過して示している。
【００６１】
フロントパネルフレーム５２は、当該フロントパネルフレーム５２の前端下端部及び上部引出２５の前端下端部を左右方向に沿って挿通する支点シャフト３４を中心として当該上部引出２５に対し回動可能に取り付けられている。
【００６２】
ここで、フロントパネルフレーム５２における支点シャフト３４近傍の部分の強度を保つため、支点シャフト３４は、フロントパネルフレーム５２の前端下端部の端面の極近傍には挿通されていない。すなわち、フロントパネルフレーム５２における支点シャフト３４の下側部分には、側面視において所定の面積を有する突起部５４が形成されている。
【００６３】
フロントパネルフレーム５２の上面後端には、従来のフロントパネルフレーム５５２（図２１）よりも後方へ向かって延設されたフロントパネルフレーム差込部５６が形成されている。上部ユニット収納状態において、フロントパネルフレーム差込部５６は、上部筐体２０の天板の下側に入り込んでいる。
【００６４】
フロントパネルフレーム５２における支点シャフト３４の後方上部からは、円筒形状のフロントパネルスタッド５８が左方向に突設している。
【００６５】
フロントパネルスタッド５８には、ステイ６０の前端部が取り付けられ、当該ステイ６０は、当該フロントパネルスタッド５８を支点として図６中時計回り及び反時計回りに回動可能に設けられている。
【００６６】
ステイ６０は側面視Ｌ字形状の板金であり、ほぼ前後方向に延在する支持部６１と、当該支持部６１の前端から下方に向かって屈曲する規制解除部６２とが形成されている。規制解除部６２の下端の後側には、端面が湾曲する当接部６３が形成されている。ステイ６０の後端部からは、円筒形状のステイショルダスタッド６８が右方向に突設している。
【００６７】
上部引出２５の左側板には、前後方向に延在する板金であるステイブラケット６４が取り付けられ、当該ステイブラケット６４には、ステイショルダスタッド６８が挿嵌されるよう左右方向に穿設されたステイブラケット溝部６６が前後方向に沿って延設されている。
【００６８】
ステイショルダスタッド６８は、ステイブラケット６４のステイブラケット溝部６６に挿嵌しつつ前後方向に沿って当該ステイブラケット溝部６６を摺動する。
【００６９】
これによりステイ６０は、フロントパネルスタッド５８を支点として回動しつつ、ステイブラケット６４のステイブラケット溝部６６を前後方向に摺動するように移動する。
【００７０】
実際上ステイ６０は、図７に示すフロントパネル開放状態においては、やや起きた姿勢となり、図８に示すフロントパネル閉鎖状態においては、フロントパネル開放状態よりも倒れた姿勢となることにより、フロントパネル開放状態よりもフロントパネル閉鎖状態の方が、規制解除部６２における当接部６３が下方に位置する。
【００７１】
［１−３．フロントパネル衝突防止機構の構成］
図６に示すように上部引出２５の左側板の前部分には、フロントパネル１２における突起部５４の下部筐体２２への衝突を防止するフロントパネル衝突防止機構７０が設けられている。フロントパネル衝突防止機構７０は、フロントパネル回動機構５０、ノックブラケット７２、ノックレバー７４及びノックシャフト８０により構成されている。
【００７２】
上部引出２５の左側板の前部分には、板金状のノックブラケット７２が固定され、当該ノックブラケット７２には、左右方向に孔部（図示せず）が穿設されている。
【００７３】
ノックブラケット７２の左側でありステイ６０の規制解除部６２の下側にはノックレバー７４が配され、当該ノックレバー７４の前後方向のほぼ中心から右方向に突設する円筒形状のノックシャフト８０がノックブラケット７２の孔部に挿嵌することにより、当該ノックシャフト８０を支点としてノックブラケット７２に対し回動可能に取り付けられている。
【００７４】
このノックレバー７４は、図示しないスプリングにより図中反時計回り（以下では規制方向とも呼ぶ）に付勢されていると共に、所定の回動位置以上には反時計回りに回動しないよう、図示しないストッパが設けられている。
【００７５】
ノックレバー７４は、側面視Ｌ字形状の板金であり、ほぼ前後方向に延在する伝達部７８と、当該伝達部７８の後端から下方に向かって屈曲する規制部７６とが形成されている。
【００７６】
図８に示したフロントパネル閉鎖状態においては、ステイショルダスタッド６８がステイブラケット溝部６６のほぼ中央部に位置しており、ステイ６０が倒れた状態となっている。
【００７７】
この状態ではステイ６０の規制解除部６２が、ノックレバー７４の伝達部７８の前端部近傍を上方から下方に向かって押し込んでいるため、ノックレバー７４は、反時計回りの付勢力に逆らって、フロントパネル開放状態よりも時計回り（以下では退避方向とも呼ぶ）に回動している。これによりノックレバー７４の規制部７６の下端部は、下部筐体２２の前面の上端部よりも上側に位置している。以下ではこの状態をノックレバー退避状態とも呼ぶ。
【００７８】
一方図７に示したフロントパネル開放状態においては、ステイ６０がフロントパネル閉鎖状態よりも起きた状態となり、ステイショルダスタッド６８がステイブラケット溝部６６の前端に突き当たることにより、フロントパネル１２の時計回りの回動が規制され、その位置が保持されている。
【００７９】
この状態では、ステイ６０の規制解除部６２がノックレバー７４の伝達部７８から上方へ外れているため、ノックレバー７４は反時計回りの付勢力によりフロントパネル閉鎖状態よりも反時計回りに回動している。これによりノックレバー７４の規制部７６の下端部は、下部筐体２２の前面の上端部よりも下側に位置している。以下ではこの状態をノックレバー規制状態とも呼ぶ。
【００８０】
またこのとき、ノックレバー７４の規制部７６の後端面が、前方から後方に向かうに連れて下方から上方へ傾斜している。
【００８１】
［１−４．上部ユニット押込動作］
かかる構成において、図９に示す上部ユニット引出状態におけるフロントパネル開放状態においては、フロントパネル１２の突起部５４が下部筐体２２の前面の上端部よりも下側に位置すると共に、ノックレバー７４の規制部７６もまた下部筐体２２の上端部よりも下側に位置し、ノックレバー規制状態となっている。
【００８２】
このフロントパネル開放状態のまま上部ユニット２４が上部筐体２０に押し込まれると、図１０に示すようにノックレバー７４の規制部７６が下部筐体２２の前面の上端部に衝突するため、フロントパネル１２の突起部５４は、下部筐体２２に衝突しない。
【００８３】
ここで、ノックレバー７４が下部筐体２２に衝突した際に、仮にノックレバー７４が時計回りに回動してしまうと、ノックレバー７４の規制部７６の下端部が、下部筐体２２の前面の上端部よりも上側に退避してしまう可能性がある。この場合、ノックレバー７４の規制部７６が下部筐体２２に衝突せず、フロントパネル１２の突起部５４が下部筐体２２に衝突してしまう。
【００８４】
これに対し本実施の形態による現金自動取引装置１は、上述したようにノックレバー７４の規制部７６の後端面が、前方から後方に向かうに連れて下方から上方へ傾斜しており、且つノックシャフト８０よりも下方において規制部７６に対し後方から前方へ下部筐体２２から力が加わっている。
【００８５】
このためノックレバー７４には反時計回りに回動する力が加わることにより、ノックレバー７４の規制部７６の下端部が、下部筐体２２の前面の上端部よりも上側に退避してしまうことを防止できる。なお、上述したようにノックレバー７４にはストッパが設けられているため、所定の角度以上規制方向に回動すると、ストッパに当たることにより回動が規制される。
【００８６】
この状態から利用者がフロントパネル１２を反時計回り（閉鎖方向）に回動させて閉鎖させると、ステイ６０が後方へ移動しつつ時計回りに回動し、フロントパネル１２を閉鎖させ、図１１に示すフロントパネル閉鎖状態となる。これによりフロントパネル１２の突起部５４は、下部筐体２２の上端より上方に位置している。
【００８７】
このときステイ６０の規制解除部６２がノックレバー７４の伝達部７８の前端部近傍を上方から下方に向かって押し込むことにより、ノックレバー７４が退避方向に回動し、ノックレバー退避状態となる。
【００８８】
この状態から上部ユニット２４が上部筐体２０に押し込まれると、ノックレバー７４の規制部７６とフロントパネル１２の突起部５４とは下部筐体２２に接触せずに上部ユニット２４が後方へ移動し、フロントパネルフレーム差込部５６が上部筐体２０の天板の下側に入り込むことにより、図１２に示す上部ユニット収納状態となる。
【００８９】
［１−５．フロントパネル開放動作］
上述したように、従来の現金自動取引装置５０１は、上部ユニット収納状態においてフロントパネルフレーム５５２が上部筐体２０の天板の下側に入り込んでいない。このため、上部ユニット収納状態のままか、手前に僅かに上部ユニット２４が引き出された状態で利用者がフロントパネル１２を開放させようとした場合、図２２に示すようにフロントパネル１２の突起部５４が下部筐体２２に接触し破損してしまうおそれがあった。
【００９０】
これに対し本実施の形態による現金自動取引装置１は、上部ユニット収納状態においては、フロントパネルフレーム差込部５６が上部筐体２０の天板の下側に入り込んでいるため、利用者は、フロントパネル１２を開放させることはできない。
【００９１】
これにより現金自動取引装置１は、上部ユニット収納状態においてフロントパネル１２の突起部５４が下部筐体２２に接触してしまうことを防ぎ、破損を防止できる。
【００９２】
上部ユニット収納状態からフロントパネル１２を開放させる際、利用者は図１３に示すように上部ユニット２４を上部筐体２０から手前に引き出す。
【００９３】
これによりフロントパネルフレーム差込部５６が上部筐体２０の天板の下側から手前側へ外れ、フロントパネル１２の開放方向への回動が上部筐体２０によって規制されなくなるフロントパネル回動可能状態となる。
【００９４】
この状態で利用者がフロントパネル１２を時計回り（開放方向）に回動させて開放させる。このときフロントパネル１２の突起部５４は下部筐体２２の前面から離隔しているため、図１４に示すようにフロントパネル１２は突起部５４が下部筐体２２に接触することなく開放され、フロントパネル開放状態となる。
【００９５】
このように現金自動取引装置１は、上部ユニット収納状態ではフロントパネルフレーム差込部５６を上部筐体２０の天板の下側に収めてフロントパネル１２の回動を規制することにより、フロントパネル１２の突起部５４が下部筐体２２に接触しないようにすることができる。
【００９６】
このフロントパネルフレーム差込部５６と、上部筐体２０の天板とは、フロントパネル１２が開放方向へ回動した場合に突起部５４が下部筐体２２に接触しないフロントパネル回動可能位置まで引き出された際にフロントパネルフレーム差込部５６が上部筐体２０の天板から外れる程度に上下に重なっている。
【００９７】
［１−６．効果］
以上の構成において現金自動取引装置１は、フロントパネル開放状態で上部ユニット２４が上部筐体２０に押し込まれたときは、ノックレバー７４の規制部７６を下部筐体２２の上端部よりも下側に位置させ、フロントパネル１２の突起部５４よりも先に下部筐体２２に接触させるようにした。
【００９８】
これにより現金自動取引装置１は、フロントパネル１２と下部筐体２２との干渉を防止し、フロントパネル１２の破損を回避できる。
【００９９】
また現金自動取引装置１は、フロントパネル閉鎖状態で上部ユニット２４が上部筐体２０に押し込まれたときは、ノックレバー７４の規制部７６がフロントパネル１２の突起部５４と共に下部筐体２２よりも上側に位置させるようにした。
【０１００】
これにより現金自動取引装置１は、フロントパネル１２の突起部５４が下部筐体２２に接触しないフロントパネル閉鎖状態においては、上部ユニット２４を上部筐体２０に収納させることができる。
【０１０１】
ここで、仮に支点シャフト３４を上部ユニット２４の上部分に設けた場合、フロントパネルを開放させる際、利用者は下から上へフロントパネルを持ち上げることになる。
【０１０２】
そのような場合、フロントパネル及びフロントパネルフレームは重く構成されているため、フロントパネルが突然閉鎖してしまうと、利用者に接触してしまう可能性がある。また、重いフロントパネルを持ち上げるように開放させるのは、利用者に対し負担を強いることとなる。
【０１０３】
このため本実施の形態による現金自動取引装置１は、フロントパネルフレーム５２の前端下端部及び上部ユニット２４の前端部に支点シャフト３４を挿通させ、当該支点シャフト３４を支点として、利用者に対し手前に引くようにフロントパネル１２を開放させるようにしている。
【０１０４】
しかしながらその場合、支点シャフト３４の下方に位置する突起部５４が下部筐体２２の上端部よりも下方に位置してしまうため、フロントパネル開放状態のまま上部ユニット２４が上部筐体２０に押し込まれると、突起部５４が下部筐体２２に衝突してしまうおそれがあった。
【０１０５】
これに対し本実施の形態による現金自動取引装置１は、フロントパネル開放状態で上部ユニット２４が上部筐体２０に押し込まれたときは、ノックレバー７４を下部筐体２２に接触させるようにした。
【０１０６】
これにより現金自動取引装置１は、上部ユニット２４の前端部下部分を支点として手前に回動することによりフロントパネル開放状態となる現金自動取引装置１において、フロントパネル１２の破損を防止できる。
【０１０７】
また現金自動取引装置１は、上部引出２５に対しフロントパネル１２を開放方向へ回動させ、開放状態を支持するステイ６０に連動してノックレバー７４を回動させることによりノックレバー規制状態とノックレバー退避状態とを切り替えるようにした。
【０１０８】
これにより現金自動取引装置１は、フロントパネル１２を開閉させ支持するために元々設けられているステイ６０の動作を利用してノックレバー７４を移動させることができ、簡易な構成によりフロントパネル１２の破損を防止できる。
【０１０９】
さらに現金自動取引装置１は、上部ユニット収納状態においてはフロントパネルフレーム差込部５６を上部筐体２０の天板の下側に入り込ませることにより、フロントパネル１２の開放方向への回動を規制するようにした。
【０１１０】
これにより現金自動取引装置１は、上部ユニット収納状態においてフロントパネル１２を利用者が開放させようとした際に、フロントパネル１２の突起部５４が下部筐体２２に接触して破損してしまうことを防止できる。
【０１１１】
以上の構成により現金自動取引装置１は、所定の空間を内部に具える上部筐体２０と、上部筐体２０の下方に配され紙幣を収納する紙幣カセット３６を内部に格納する下部筐体２２と、上部筐体２０内に収納された収納状態から前方へ引き出されることにより引出状態となる上部ユニット２４と、上部ユニット２４に設けられ紙幣に関する取引を受け付ける接客部１３と、上部ユニット２４の前面において開放方向へ回動することにより上部ユニット２４内部を外部に開放する開放状態となると共に、閉鎖方向へ回動することにより上部ユニット２４内部を外部から閉鎖する閉鎖状態となるフロントパネル１２と、フロントパネル１２の開放状態のまま上部ユニット２４が上部筐体２０に向かって移動した際、上部筐体２０への上部ユニット２４の移動を規制するフロントパネル衝突防止機構７０とを設けるようにした。
【０１１２】
これにより現金自動取引装置１は、フロントパネル１２の下部筐体２２への衝突をフロントパネル衝突防止機構７０により防止できる。
【０１１３】
［２．第２の実施の形態］
図１に示す第２の実施の形態による現金自動取引装置１０１は、第１の実施の形態による現金自動取引装置１と比べて、図１５に示す上部ユニット１２４のフロントパネル衝突防止機構１７０が上部ユニット２４のフロントパネル衝突防止機構７０と異なっているものの、それ以外は同様に構成されている。
【０１１４】
ノックレバー１７４は、側面視Ｌ字形状の板金であり、ほぼ前後方向に延在する伝達部１７８と、当該伝達部１７８の前端から下方に向かって屈曲する規制部１７６とが形成されている。
【０１１５】
このノックレバー１７４は、図示しないスプリングにより図中時計回りに付勢されていると共に、所定の回動位置以上には時計回りに回動しないよう、図示しないストッパが設けられている。
【０１１６】
ステイ１６０は側面視Ｔ字形状の板金であり、ほぼ前後方向に延在する支持部１６１と、当該支持部１６１の前後方向のほぼ中央部から下方に向かって突出する規制解除部１６２とが形成されている。規制解除部１６２の下端の後側には、端面が湾曲する当接部１６３が形成されている。
【０１１７】
図１５に示すフロントパネル閉鎖状態においては、ステイ１６０の規制解除部１６２が、ノックレバー１７４の伝達部１７８の後端部近傍を上方から下方に向かって押し込むことにより、ノックレバー１７４が時計回りの付勢力に逆らって反時計回りに回動する。これによりノックレバー１７４の規制部１７６の下端部が下部筐体２２の前面の上端部よりも上側に位置し、ノックレバー退避状態となる。
【０１１８】
一方図１６に示すフロントパネル開放状態においては、ステイ１６０がフロントパネル閉鎖状態よりも起きた状態となり、規制解除部１６２がノックレバー１７４の伝達部１７８から上方へ外れることにより、ノックレバー１７４は時計回りの付勢力でフロントパネル閉鎖状態よりも時計回りに回動する。これによりノックレバー１７４の規制部１７６の下端部が下部筐体２２の前面の上端部よりも下側に位置し、ノックレバー規制状態となる。
【０１１９】
このように現金自動取引装置１０１においては、ステイ１６０の支持部１６１の前後方向のほぼ中央部から突出する規制解除部１６２を、ノックレバー１７４の伝達部１７８の後端部近傍に当接又は離隔させることにより、ノックレバー１７４を回動させてノックレバー規制状態とノックレバー退避状態とを切り替えるようにした。
【０１２０】
これにより現金自動取引装置１０１は、フロントパネル開放状態で上部ユニット１２４が上部筐体２０に押し込まれたときは、ノックレバー１７４の伝達部１７８の前端から下方に向かって屈曲する規制部１７６をフロントパネル１２の突起部５４よりも先に下部筐体２２に接触させることによりフロントパネル１２の破損を防止する。
【０１２１】
それと共に現金自動取引装置１０１は、フロントパネル閉鎖状態で上部ユニット１２４が上部筐体２０に押し込まれたときは、ノックレバー１７４の規制部１７６をフロントパネル１２の突起部５４と共に下部筐体２２よりも上側に位置させることにより、上部ユニット１２４を上部筐体２０に収納させることができる。
【０１２２】
［３．第３の実施の形態］
図１に示す第３の実施の形態による現金自動取引装置２０１は、第１の実施の形態による現金自動取引装置１と比べて、図１７に示す上部ユニット２２４のフロントパネル衝突防止機構２７０が上部ユニット２４のフロントパネル衝突防止機構７０と異なっているものの、それ以外は同様に構成されている。
【０１２３】
ノックレバー２７４は、ほぼ前後方向に延在する伝達部２７８と、当該伝達部２７８の後端部とノックレバースタッド８２を介し接続され上下方向に延在する規制部２７６とから構成されている。
【０１２４】
伝達部２７８は、前後方向の中央部に設けられたノックシャフト８０を支点として回動する。規制部２７６は、上下方向に沿って穿設された規制部溝部８６が、ノックブラケット７２から突出する規制部スタッド８４に対し上下方向に沿って摺動することにより、上下方向に往復移動する。また規制部２７６は、前後方向に沿って穿設された溝部がノックレバースタッド８２に対し前後方向に摺動する。
【０１２５】
伝達部２７８は、図示しないスプリングにより図中反時計回りに付勢されていると共に、所定の回動位置以上には反時計回りに回動しないよう、図示しないストッパが設けられている。
【０１２６】
図１７に示すフロントパネル閉鎖状態においては、ステイ６０の規制解除部６２が、ノックレバー２７４の伝達部２７８の前端部近傍を上方から下方に向かって押し込むことにより、伝達部２７８が反時計回りの付勢力に逆らって時計回りに回動する。このため伝達部２７８はノックレバースタッド８２を介し規制部２７６を上方へ移動させることにより、当該規制部２７６の下端部が下部筐体２２の前面の上端部よりも上側に位置し、ノックレバー退避状態となる。
【０１２７】
一方図１８に示すフロントパネル開放状態においては、ステイ６０がフロントパネル閉鎖状態よりも起きた状態となり、規制解除部６２がノックレバー２７４の伝達部２７８から上方へ外れることにより、伝達部２７８は反時計回りの付勢力でフロントパネル閉鎖状態よりも反時計回りに回動する。このため伝達部２７８はノックレバースタッド８２を介し規制部２７６を下方へ移動させることにより、当該規制部２７６の下端部が下部筐体２２の前面の上端部よりも下側に位置し、ノックレバー規制状態となる。
【０１２８】
このように現金自動取引装置２０１においては、ステイ６０の規制解除部６２を、ノックレバー２７４の伝達部２７８の前端部近傍に当接又は離隔させることにより、ノックレバースタッド８２を介し規制部２７６を上下移動させてノックレバー規制状態とノックレバー退避状態とを切り替えるようにした。
【０１２９】
これにより現金自動取引装置２０１は、フロントパネル開放状態で上部ユニット２２４が上部筐体２０に押し込まれたときは、ノックレバー２７４における伝達部２７８の反時計回りの回動力を下方向の移動力に変換し規制部２７６を下方へ移動させ当該規制部２７６をフロントパネル１２の突起部５４よりも先に下部筐体２２に接触させることにより、フロントパネル１２の破損を防止する。
【０１３０】
それと共に現金自動取引装置２０１は、フロントパネル閉鎖状態で上部ユニット２２４が上部筐体２０に押し込まれたときは、ノックレバー２７４における伝達部２７８の時計回りの回動力を上方向の移動力に変換し規制部２７６を上方へ移動させ当該規制部２７６をフロントパネル１２の突起部５４と共に下部筐体２２よりも上側に位置させることにより、上部ユニット２２４を上部筐体２０に収納させることができる。
【０１３１】
［４．第４の実施の形態］
図１に示す第４の実施の形態による現金自動取引装置３０１は、第１の実施の形態による現金自動取引装置１と比べて、図１９に示す上部ユニット３２４のフロントパネル衝突防止機構３７０が上部ユニット２４のフロントパネル衝突防止機構７０と異なっているものの、それ以外は同様に構成されている。
【０１３２】
ノックレバー３７４は、ほぼ前後方向に延在する伝達部３７８と、側面視Ｌ字形状であり当該伝達部３７８の内側に摺動可能に嵌り込んで後端が下方に向かって屈曲する規制部３７６とから構成されている。
【０１３３】
伝達部３７８には、上側板から下方に向かって突設されたスプリング前端係止部９０が設けられている。規制部３７６には、後端において上下左右方向に延設された板状でなるスプリング後端係止部９２が設けられている。このスプリング前端係止部９０とスプリング後端係止部９２との間には、衝撃緩和部材としてのスプリング９４が嵌め込まれている。
【０１３４】
伝達部３７８は、図示しないスプリングにより図中反時計回りに付勢されていると共に、所定の回動位置以上には反時計回りに回動しないよう、図示しないストッパが設けられている。
【０１３５】
図１９に示すフロントパネル閉鎖状態においては、ステイ６０の規制解除部６２が、ノックレバー３７４の伝達部３７８の前端部近傍を上方から下方に向かって押し込むことにより、伝達部３７８が反時計回りの付勢力に逆らって時計回りに回動する。このため規制部３７６は伝達部３７８と共に時計回りに回動することにより、当該規制部３７６の下端部が下部筐体２２の前面の上端部よりも上側に位置し、ノックレバー退避状態となる。
【０１３６】
一方図２０に示すフロントパネル開放状態においては、ステイ６０がフロントパネル閉鎖状態よりも起きた状態となり、規制解除部６２がノックレバー３７４の伝達部３７８から上方へ外れることにより、伝達部３７８は反時計回りの付勢力によりフロントパネル閉鎖状態よりも反時計回りに回動する。このため規制部３７６は伝達部３７８と共に反時計回りに回動することにより、当該規制部３７６の下端部が下部筐体２２の前面の上端部よりも下側に位置し、ノックレバー規制状態となる。
【０１３７】
フロントパネル開放状態のまま上部ユニット３２４が上部筐体２０に押し込まれると、ノックレバー３７４の規制部３７６が下部筐体２２に衝突し、当該規制部３７６の後方への移動が規制される。このときスプリング９４が規制部３７６と伝達部３７８とで圧縮されることにより、規制部３７６から伝達部３７８へ伝わる衝撃力が緩和される。
【０１３８】
このように現金自動取引装置３０１においては、ノックレバー３７４の規制部３７６と伝達部３７８との間に衝撃吸収材としてスプリング９４を設けるようにした。
【０１３９】
これにより現金自動取引装置３０１は、フロントパネル開放状態で上部ユニット３２４が上部筐体２０に押し込まれたとき、ノックレバー３７４を介し上部引出２５及びフロントパネル１２に伝達する衝撃力を緩和することができ、現金自動取引装置３０１の破損を一段と防止できる。
【０１４０】
［５．他の実施の形態］
なお上述した実施の形態においては、ステイの動作によりノックレバーを回動させる場合について述べたが、本発明はこれに限らず、フロントパネルの動作に連動する種々のリンク、ワイヤ等によりノックレバーを回動させても良い。
【０１４１】
また上述した実施の形態においては、ノックレバー７４、１７４、２７４及び３７４を下部筐体２２に当接させることにより、フロントパネル１２の突起部５４の下部筐体２２への衝突を防止する場合について述べたが、本発明はこれに限らず、ノックレバー７４、１７４、２７４及び３７４を、上部筐体２０又は上部筐体２０内部に設けられた板金等、種々の箇所に当接させても良い。
【０１４２】
上述した実施の形態のようにノックレバーを下部筐体２２に当接させる場合、下部ユニット２６を下部筐体２２から前方へ引き出そうとしても、下部ユニット２６がノックレバー７４、１７４、２７４及び３７４により前方から当接されているため、上部ユニット引出状態におけるフロントパネル開放状態においては下部筐体２２から下部ユニット２６を引き出せなくなる。
【０１４３】
これによりフロントパネル開放状態においては、下部筐体２２から引き出した下部ユニット２６がフロントパネル１２の突起部５４に接触してしまうことを防止できる。
【０１４４】
さらに上述した実施の形態においては、ノックレバー７４、１７４、２７４及び３７４を回動させることにより、ノックレバー規制状態とノックレバー退避状態とを切り替える場合について述べたが、本発明はこれに限らず、ノックレバーをスライドさせる等、種々の可動方法によりノックレバー規制状態とノックレバー退避状態とを切り替えても良い。
【０１４５】
さらに上述した実施の形態においては、上部引出２５の左側板のみにフロントパネル衝突防止機構７０、１７０、２７０及び３７０を設ける場合について述べたが、本発明はこれに限らず、上部引出２５の右側板のみ、又は左側板及び右側板の両方にフロントパネル衝突防止機構を設けても良い。上部引出２５の左側板及び右側板の両方にフロントパネル衝突防止機構を設けた場合、下部筐体２２に対するフロントパネル１２の突起部５４の衝突をより安定的に防止できる。
【０１４６】
さらに上述した実施の形態においては、ステイの動作によりノックレバー規制状態とノックレバー退避状態とを切り替える場合について述べたが、本発明はこれに限らず、利用者がノックレバーを操作することによりノックレバー規制状態とノックレバー退避状態とを切り替えても良い。但し、ステイの動作に連動してノックレバーが回動する方が、利用者に煩雑な作業を強いることなく使い勝手を向上できる。
【０１４７】
さらに上述した第４の実施の形態においては、衝撃吸収材としてスプリング９４を用いたが、本発明はこれに限らず、例えばゲル等、衝撃を吸収可能な種々の素材を用いても良い。
【０１４８】
さらに上述した実施の形態においては、上部引出２５に対しフロントパネル１２を回動させる場合について述べたが、本発明はこれに限らず、上部引出２５に対しフロントパネル１２を上下移動させることによりフロントパネル開放状態とフロントパネル閉鎖状態とを切り替えても良い。
【０１４９】
さらに上述した実施の形態においては、上部筐体２０から上部ユニット２４を引き出してフロントパネル１２を回動させる現金自動取引装置に本発明を適用する場合について述べた。本発明はこれに限らず、筐体から引き出された引出の下部分を支点として回動するフロントパネルを有し、筐体に引出を収納する際、当該フロントパネルの一部が所定箇所に衝突する可能性がある種々の装置に本発明を適用しても良い。
【０１５０】
さらに上述した実施の形態においては、上部ユニット２４、１２４、２２４及び３２４が上部筐体２０の内部に収納され又はその外部へ引き出される現金自動取引装置に本発明を適用するようにした場合について述べた。
【０１５１】
本発明はこれに限らず、例えば紙幣入出金機や硬貨処理部（図示せず）等の各部が筐体の内部に収納され又はその外部へ露出される現金自動取引装置に本発明を適用しても良い。
【０１５２】
さらに上述した実施の形態においては、紙幣等の現金を取引する現金自動取引装置において、媒体としての紙幣について搬送処理及び収納処理等の各処理を行うようにした場合について述べた。
【０１５３】
しかしながら本発明はこれに限らず、例えば商品券や金券、入場券等のような薄い紙状の媒体を搬送処理及び収納処理等の各処理を行う種々の装置に適用するようにしても良い。
【０１５４】
さらに上述した実施の形態においては、筐体としての筐体１０と、ユニットとしての上部ユニット２４、１２４、２２４及び３２４と、サブユニットとしてのフロントパネル１２及びフロントパネルフレーム５２と、押込規制部としてのフロントパネル衝突防止機構７０、１７０、２７０及び３７０とによって、引出装置としての現金自動取引装置１、１０１、２０１及び３０１を構成する場合について述べた。
【０１５５】
しかしながら本発明はこれに限らず、その他種々の構成でなる筐体と、ユニットと、サブユニットと、押込規制部とによって引出装置を構成するようにしても良い。
【０１５６】
さらに上述した実施の形態においては、上部筐体としての上部筐体２０と、下部筐体としての下部筐体２２と、ユニットとしての上部ユニット２４、１２４、２２４及び３２４と、接客部としての接客部１３と、サブユニットとしてのフロントパネル１２及びフロントパネルフレーム５２と、押込規制部としてのフロントパネル衝突防止機構７０、１７０、２７０及び３７０とによって、媒体取引装置としての現金自動取引装置１、１０１、２０１及び３０１を構成する場合について述べた。
【０１５７】
しかしながら本発明はこれに限らず、その他種々の構成でなる上部筐体と、下部筐体と、ユニットと、接客部と、サブユニットと、押込規制部とによって媒体取引装置を構成するようにしても良い。
【産業上の利用可能性】
【０１５８】
本発明は、筐体に収納された状態で所定の処理を実行する一方、保守等の作業時に筐体から引き出されてその一部又は全部を露出させるような引出機構を有する種々の機器でも利用できる。
【符号の説明】
【０１５９】
１、１０１、２０１、３０１、５０１……現金自動取引装置、１０……筐体、１２、５１２……フロントパネル、１３……接客部、１４……入金口、１６……出金口、１８……表示操作部、２０……上部筐体、２２……下部筐体、２４、１２４、２２４、３２４、５２４……上部ユニット、２５……上部引出、２６……下部ユニット、２８……搬送路、３０……鑑別部、３１……一時保留部、３２……制御部、３４……支点シャフト、３６……紙幣カセット、３８……リジェクトカセット、５０……フロントパネル回動機構、５２、５５２……フロントパネルフレーム、５４……突起部、５６……フロントパネルフレーム差込部、５８……フロントパネルスタッド、６０、１６０、５６０……ステイ、６１、１６１……支持部、６２、１６２……規制解除部、６３、１６３……当接部、６４……ステイブラケット、６６……ステイブラケット溝部、６８……ステイショルダスタッド、７０、１７０、２７０、３７０……フロントパネル衝突防止機構、７２……ノックブラケット、７４、１７４、２７４、３７４……ノックレバー、７６、１７６、２７６、３７６……規制部、７８、１７８、２７８、３７８……伝達部、８０……ノックシャフト、８２……ノックレバースタッド、８４……規制部スタッド、８６……規制部溝部、９０……スプリング前端係止部、９２……スプリング後端係止部、９４……スプリング。
【図１】
2014191446.tif 000003
【図２】
2014191446.tif 000004
【図３】
2014191446.tif 000005
【図４】
2014191446.tif 000006
【図５】
2014191446.tif 000007
【図６】
2014191446.tif 000008
【図７】
2014191446.tif 000009
【図８】
2014191446.tif 000010
【図９】
2014191446.tif 000011
【図１０】
2014191446.tif 000012
【図１１】
2014191446.tif 000013
【図１２】
2014191446.tif 000014
【図１３】
2014191446.tif 000015
【図１４】
2014191446.tif 000016
【図１５】
2014191446.tif 000017
【図１６】
2014191446.tif 000018
【図１７】
2014191446.tif 000019
【図１８】
2014191446.tif 000020
【図１９】
2014191446.tif 000021
【図２０】
2014191446.tif 000022
【図２１】
2014191446.tif 000023
【図２２】
2014191446.tif 000024